(57)【要約】      （修正有）【課題】衣類にダメージを与えず且つ極めて外れにくく、操作性や安全性についても考慮した名札留めを提供する。【解決手段】クリップ部とストッパーとを備えた名札留めであって、クリップ部は、裏クリップと表クリップとそれらを結合する弾性部材とを有し、クリップ部を開閉する際の回転軸は、裏クリップと表クリップのいずれか一方に設けられた凸部１ｂと、他方に設けられた凹部からなり、弾性部材は、クリップ部の回転軸よりも挟み込み部側において、裏クリップと表クリップが当接する圧力を及ぼし、ストッパーは、レバー部３ａと、そこから屈曲したロック部３ｂとを有し、レバー部とロック部との結合部分近傍が、表クリップのクリップ操作側において回転軸３ｃにより回転可能に固定され、レバー部は、表クリップより名札側において回転可動し、レバー部と表クリップとを略当接した際に、ロック部の略先端部が裏クリップの開閉操作側のストッパー当接部２ｇに略当接する。【選択図】図６
0003192614.tif 000002
【実用新案登録請求の範囲】
【請求項１】
クリップ部とストッパーとを備え、安全ピンを保持する機構を有する名札留めであって、
上記クリップ部は、装着時に衣服側となる裏クリップと、名札側となる表クリップと、上記裏クリップと上記表クリップとを結合する弾性部材と、を有し、
上記クリップ部を開閉する際の回転軸部は、上記裏クリップと上記表クリップのいずれか一方に設けられた凸部と、他方に設けられた凹部からなり、
上記弾性部材は、上記クリップ部の上記回転軸部よりも挟み込み部側において、上記裏クリップと上記表クリップとが当接する圧力を及ぼし、
上記ストッパーは、レバー部と、当該レーバー部から屈曲したロック部と、を有し、
当該ストッパーは、上記レバー部と上記ロック部との結合部分近傍が、上記表クリップのクリップ操作側において回転可能に固定され、
上記レバー部は、上記表クリップより名札側において回転可動し、
上記レバー部と上記表クリップとを略当接した際に、上記ロック部の略先端部が上記裏クリップの開閉操作側に略当接する
ことを特徴とする名札留め。
【請求項２】
上記弾性部材は板ばねである
ことを特徴とする請求項１に記載の名札留め。
【請求項３】
上記ロック部の略先端部が上記裏クリップ部の開閉操作側に略当接した状態において、上記クリップ部を開放する動作により上記ロック部の略先端部に生じる力の方向が、上記ストッパーの上記レバー部を上記表クリップ側に押し付ける方向である
ことを特徴とする請求項１または２に記載の名札留め。
【請求項４】
上記裏クリップの上記ロック部の略先端部との当接面に、上記ストッパーが回転する際に、上記ロック部の略先端部が回転する軌跡に対応した凹部を設けた
ことを特徴とする請求項１から３のいずれかに記載の名札留め。
【請求項５】
上記裏クリップと上記表クリップのいずれか一方に設けられた凸部よりも高いリブと、
上記他方に設けられた凹部よりも深いリブ挿入穴の、
いずれか一方を上記表クリップに、他方を上記裏クリップに設けた
ことを特徴とする請求項１から４のいずれかに記載の名札留め。
【請求項６】
上記安全ピンを保持する機構は、当該名札留めの上部と下部に各１か所設けられた
ことを特徴とする請求項１から５のいずれかに記載の名札留め。
【請求項７】
上記表クリップと上記裏クリップとが当接する挟み込み部に、それぞれ複数のピンとピン受けを設けた
ことを特徴とする請求項１から６のいずれかに記載の名札留め。
【請求項８】
上記ストッパーにモチーフを着脱可能に固定するための穴を設けた
ことを特徴とする請求項１から７のいずれかに記載の名札留め。
【考案の詳細な説明】
【技術分野】
【０００１】
本考案は、安全ピンで取り付ける名札を保持し、衣服に装着できる名札留めに関するものである。
【背景技術】
【０００２】
安全ピンを用いた名札は学校等で広く用いられている。
廉価であり、どのような衣服にも装着できるというメリットがある。
しかし、衣服に穴を開けることになり、また、安全上も問題がある。
【０００３】
上記の問題を解決するために、クリップを用いた名札留めが提案されている。この名札留めは、クリップ可動片が、力を加える手段から加えられる力によりクリップ台座と接触する接触部と、クリップ台座に近づける力を加える操作により接触部をクリップ台座から離反させる操作部とを有する被固定用クリップであって、クリップ可動片の接触部を針状に形成された針状部とし、この針状部が力を加える手段から加えられる力によりクリップ台座と接触するように構成されている（例えば、特許文献１）。
【先行技術文献】
【特許文献】
【０００４】
【特許文献１】特開２００５−１８１７８０号
【考案の概要】
【考案が解決しようとする課題】
【０００５】
上述した特許文献１に開示されている名札留めは、クリップを用いるため、簡単且つ安全に名札を衣服に装着できる。また、衣服に穴を開けることもない。
しかしながら、クリップで止めるために、クリップが何かのはずみで開いて、衣類から名札が取れてしまう危険性があった。
【０００６】
そのため、クリップの挟み付け力を大きくすることが必要であった。挟み付け力を大きくした場合、未就学児童等では容易にクリップを開閉できないことも懸念される。また、衣類へのダメージが生じる場合も考えられる。さらに、クリップはばねの等の弾性力を利用しており、ばね等が経年劣化した際には、上述したようにクリップが何かのはずみで開いてしまうという問題を完全に解決できるものではなかった。
【課題を解決するための手段】
【０００７】
本考案の請求項１に係る名札留めは、クリップ部とストッパーとを備え、安全ピンを保持する機構を有する名札留めであって、
上記クリップ部は、装着時に衣服側となる裏クリップと、名札側となる表クリップと、上記裏クリップと上記表クリップとを結合する弾性部材とを有し、
上記クリップ部を開閉する際の回転軸部は、上記裏クリップと上記表クリップのいずれか一方に設けられた凸部と、他方に設けられた凹部からなり、
上記弾性部材は、上記クリップ部の上記回転軸よりも挟み込み部側において、上記裏クリップと上記表クリップとが当接する圧力を及ぼし、
上記ストッパーは、レバー部と、当該レーバー部から屈曲したロック部とを有し、
当該ストッパーは、上記レバー部と上記ロック部との結合部分近傍が、上記表クリップのクリップ操作側において回転可能に固定され、
上記レバー部は、上記表クリップより名札側において回転可動し、
上記レバー部と上記表クリップとを略当接した際に、上記ロック部の略先端部が上記裏クリップの開閉操作側に略当接することを特徴とする。
【０００８】
本考案の請求項３に係る名札留めは、弾性体として板ばねを用いることを特徴とする。
【０００９】
本考案の請求項３に係る名札留めは、上記ロック部の略先端部が上記裏クリップ部の開閉操作側に略当接した状態において、上記クリップ部を開放する動作により上記ロック部の略先端部に生じる力の方向が、上記ストッパーの上記レバー部を上記表クリップ側に押し付ける方向であることを特徴とする。
【００１０】
本考案の請求項４に係る名札留めは、上記裏クリップの上記ロック部の略先端部との当接面に、上記ストッパーが回転する際に、上記ロック部の略先端部が回転可動する軌跡に対応した凹部を設けたことを特徴とする。
【００１１】
本考案の請求項５に係る名札留めは、上記裏クリップと上記表クリップのいずれか一方に設けられた凸部よりも高いリブと、上記他方に設けられた凹部よりも深いリブ挿入穴の、いずれか一方を上記表クリップに、他方を上記裏クリップに設けたことを特徴とする。
【００１２】
本考案の請求項６に係る名札留めは、上記安全ピンを保持する機構を、当該名札留めの上部と下部に各１か所設けたことを特徴とする。
【００１３】
本考案の請求項７に係る名札留めは、上記表クリップと上記裏クリップとが当接する挟み込み部に、それぞれ複数のピンとピン受けを設けたことを特徴とする。
【００１４】
本考案の請求項７に係る名札留めは、上記ストッパーにモチーフを着脱可能に固定するための穴を設けたことを特徴とする。
【考案の効果】
【００１５】
本考案に係る名札留めは、上記のように構成されているので、安全ピンを直接衣類に刺すことは無く、衣類に穴を開ける等の損傷を与える心配も無い。
また、ロック機構を有しているため、クリップが外れることもない。特に、ロック機構が一体に備わっているので、部品を無くす心配が無く、操作も容易であり、迅速に衣服に名札を脱着できる。
【００１６】
さらに、強いクリップ力を必要としないため、衣類にダメージを与えることが無い。また、経年劣化による多少のばねの劣化が生じたとしても、問題なく使用することができるので、製品寿命が長い。
また、厚手の衣類を挟み込んでも、クリップを構成する表クリップと裏クリップとが乖離できる構成であるため、ロック機構を掛ける際に、クリップに掛かる力を低減し、クリップの破損を防止できる。
【００１７】
衣服を挟み込む部分に複数のピンとピン受けを設けたので、衣服から外れにくく、また、複数のピンが衣服を挟む力が分散するため、衣服に与えるダメージを最小限にできる。
また、様々なデザインのモチーフを取付けることができるので、アクセサリーとしての使用を楽しむこともできる。
【図面の簡単な説明】
【００１８】
【図１】本考案に係る名札留めのクリップ部の部品図である。
【図２】本考案に係る名札留めのストッパーの部品図である。
【図３】本考案に係る名札留めの組立図である。
【図４】本考案に係る名札留めの組立図である。
【図５】本考案に係る名札留めの動作説明図である。
【図６】本考案に係る名札留めの動作説明図である。
【図７】本考案に係る名札留めのモチーフの部品図である。
【図８】本考案に係る名札留めのモチーフの組立図である。
【図９】本考案の実施の形態２に係る名札留めのクリップ部の部品図である。
【図１０】本考案の実施の形態３に係る名札留めのクリップ部の説明図である。
【考案を実施するための形態】
【００１９】
実施の形態１．
本考案に係る名札留めの構成等に関して、以下において、図面を用いて説明する。なお、以下の説明は本考案に関する良好な一例を開示するものであり、本考案が当該実施の形態に限定されるものではない。例えば、本実施の形態において開示する考案品の材料や寸法等は、良好な一例を示すに過ぎず、その他の可能性を否定するものでは無い。
【００２０】
本考案に係る名札留めは、安全ピンを保持する機構を有する名札留めであって、クリップ部とクリップ部の開閉を抑制するためのストッパーから構成される。そして、クリップ部は、表クリップと裏クリップ、およびこれらを結合する板バネからなる。
まず、図１を用いて、クリップ部の構成部品である表クリップと裏クリップについて説明する。表クリップは衣服に装着した際に名札側になり、裏クリップは衣服側になる。
図１において、（Ａ）、（Ｂ）、（Ｃ）は、それぞれ、表クリップ１の外面図、内面図、そして側面図である。また、（Ｄ）、（Ｅ）、（Ｆ）は、それぞれ、裏クリップ２の外面図、内面図、そして側面図である。ここで、内面とは、表クリップ１と裏クリップ２が合わさる面であり、外面は他方の面である。
【００２１】
表クリップ１は、ばね挿入開口１ａ、回転軸凸部１ｂ、ピン１ｃ、ピン受け１ｄ、ばね固定部１ｅ、ばね外れ防止部１ｆ、ストッパー回転軸穴１ｇ、安全ピン取付け穴１ｈおよび１ｉ等から構成されている。
この表クリップ１は、樹脂の射出成型により一体的に形成されている。
【００２２】
ばね挿入開口１ａは、後述する板ばね４を取付ける際に必要な開口である。
回転軸凸部１ａは、クリップ部の開閉の際に、開閉のための回転軸となる。半円柱状の凸部である。
【００２３】
ピン１ｃとピン受け１ｄは、クリップ部が衣類を挟み込むための挟み込み部に設けられており、ピン１ｃは凸部であり、ピン受け１ｄは凹部である。衣類を挟み込んだ際に、クリップ部が衣類から外れたり、横ずれしたりすることを防ぐ目的で設けられている。
【００２４】
ばね固定部１ｅは凹部であり、板ばね４がここにはまり込むことで、板ばね４が左右に横ずれしないように固定する役割を持つ。
ばね外れ防止部１ｆも凹部であるが、ばね固定部１ｅよりも浅い凹部であり、ばね固定部１ｅにはまり込んだ板ばね４が外れることを防止している。
【００２５】
ストッパー回転軸穴１ｇは、クリップ部を開閉させる際に指で掴む操作部側に設けられた穴であり、両側面に設けられている。
安全ピン取付け穴１ｈおよび１ｉは、名札に付いている安全ピンを通すための貫通穴である。安全ピンを挿入し、名札を名札留めに保持する役割を持つ。名札の大きさや衣類に付ける場所に応じて、安全ピン取付け穴１ｈまたは１ｉを選択する。
衣類の付ける場所に関して説明すると、衣類のポケットや襟といった衣服の縁をクリップ部が挟み込む際には、安全ピン取付け穴１ｈに安全ピンを通して用いれば良い。
一方、ポケットの無いＴシャツ等において、胸付近の生地を少し折り返すようにしてクリップ部で挟み込む場合には、折り返した部分をクリップ部が下から挟み込む方が良い。上から挟み込むと、名札留めが前方斜め方向に垂れてしまうためである。折り返した部分をクリップ部が下から挟み込んだ際には、名札留めの下方は安全ピン取付け穴１ｉになるので、その取付け穴に安全ピンを通して名札を取付けることで、名札留めの下部から名札が吊下ることで、自然な感じになる。
【００２６】
次に、裏クリップ２は、ばね挿入開口２ａ、回転軸凹部２ｂ、ピン２ｃ、ピン受け２ｄ、ばね固定部２ｅ、ばね外れ防止部２ｆ、ストッパー当接部２ｇ等から構成されている。
この裏クリップ２も、樹脂の射出成型により一体的に形成されている。
【００２７】
ばね挿入開口２ａは、ばね挿入開口１ａとともに、後述する板ばね４を取付ける際に必要な開口である。
回転軸凹部２ｂは、回転軸凸部１ｂが挿入できる凹部であり、クリップ部の開閉の際に、開閉のための回転軸となる。表クリップ１の内面と裏クリップ２の内面を合わせた際に、回転軸凸部１ｂが回転軸凹部２ｂに挿入される。したがって、表クリップ１と裏クリップ２の面内相対位置を回転軸凸部１ｂを回転軸凹部２ｂに挿入することによって決めることができるので、組立の際の位置決めにも利用できる。
なお、回転軸凸部１ｂと回転軸凹部２ｂの凹凸の関係は逆になっても良い。すなわち、クリップ部を開閉する際の回転軸部は、裏クリップ２と表クリップ１のいずれか一方に設けられた凸部と、他方に設けられた凹部からなる。
【００２８】
ピン２ｃとピン受け２ｄに関しては、クリップ部が衣類を挟み込むための挟み込み部に設けられており、ピン２ｃは凸部であり、ピン受け２ｄは凹部である。
表クリップ１と裏クリップ２の内面同士を合わせた際に、ピン１ｃとピン受け２ｄが対応する位置に、ピン２ｃとピン受け１ｄが対応する位置に設けられている。
【００２９】
ばね固定部２ｅとばね外れ防止部２ｆに関しては、表クリップ１のばね固定部１ｅとばね外れ防止部１ｆと同様の構成および役割を持つ。
【００３０】
ストッパー当接部２ｇは、クリップ部を開閉させる際に指で掴む操作部側に設けられた曲面の凹部である。裏クリップ２の操作部側は、表クリップ１の操作部側に比べて幅が広くなっており、この幅広部の左右外側に設けられている。詳細については後述する。
【００３１】
次に図２を用いて、ストッパー３について説明する。
図２において、（Ａ）は内面図、（Ｂ）は外面図、（Ｃ）は側面図である。ここで内面とは、組立後において、表クリップ２側の面であり、外面は他方の面である。
このストッパー３も、樹脂の射出成型により一体的に形成されている。
【００３２】
ストッパー３は、主に、レバー部３ａと、そこから屈曲したロック部３ｂからなる。レバー部３ａとロック部３ｂの結合部位である屈曲部付近には、回転軸３ｃが設けられている。また、レバー部３ａには、必要に応じて、後述するモチーフ５を取付けるためのモチーフ留め穴３ｄやモチーフ角度合せ溝３ｅを設けても良い。
【００３３】
レバー部３ａは、洋式トイレの蓋と同様の形状をしている。このレバー部３ａの幅広側の端部の両側から屈曲してロック部３ｂが伸びている。ロック部３ｂは、２本のバーである。そして、これら２本のロック部３ｂの根元付近から内側に向かって、２本の回転軸３ｃが設けられている。
【００３４】
２本の回転軸３ｃを表クリップ１の２つのストッパー回転軸穴１ｇにそれぞれ挿入することにより、ストッパー３を表クリップ１に回転可能に固定できる。レバー部３ａは、ストッパー３の回転を指で操作する部位であり、表クリップ１より名札側において回転できる。また、ロック部３ｂは、その先端部が裏クリップ２の操作部側内面に当接することで、クリップ部の開放動作を防止する働きを持っている。レバー部３ａと表クリップ１とを略当接した際に、ロック部３ｂの略先端部が裏クリップ２の開閉操作側に略当接するように構成されている。
【００３５】
次に、これらの部品から名札留めを構成するための組立て方法について説明する。
まず、クリップ部の組立て方法について、図３を用いて説明する。
表クリップ１と裏クリップ２の内面同士を合わせた状態で、板ばね４を挿入する。板ばね４は、金属板の折り曲げ加工等により形成されている。
【００３６】
板ばね４は、点線で示すように、表クリップ１と裏クリップ２のばね固定部１ｅおよび２ｅに納まり、左右の位置ずれが抑制されるとともに、引き抜けない状態になる。この状態においては、板ばね４の両端付近が、表クリップ１と裏クリップ２とを締付けており、挟み込み部は閉じる方向の弾性力を受けて、しっかりと噛み合っている。
【００３７】
そして、開閉操作部を指で強くつまむことで、挟み込み部を開けることができる。この際、回転軸凸部１ａと、それが挿入されている回転軸凹部２ａとが、開閉の回転軸となっている。
このように板ばね４により、表クリップ１と裏クリップ２とを結合し、クリップ部を組み立てることができる。
【００３８】
このクリップ部にストッパー３を取付ける方法について、図４を用いて説明する。
ストッパー３の２本のロック部を少し外側に押し開くことで、２本の回転軸３ｃの間隔を広げる。そして、表クリップ１の２つのストッパー回転軸穴１ｇに、２本の回転軸３ｃをそれぞれ挿入する。
【００３９】
次に、上記のようにして組立てられた名札留めの使用方法、すなわち動作について説明する。
図４の状態、すなわち、ストッパー３のレバー部３ａが表クリップ１の外面にほぼ当接し、ロック部３ｂの先端が裏クリップ２の操作部側内面にほぼ当接している状態がロック状態である。この状態においては、クリップ部を開放することはできない。なぜなら、クリップ部を開放する動作により、当接しているロック部３ｂの先端部付近に生じる力の方向が、ストッパー３のレバー部３ａを表クリップ１側に押し付ける方向であるため、クリップ部の開閉操作部を閉じることができない。
【００４０】
クリップ部を開放するためには、図５に示すように、（Ａ）に示すロック状態から、レバー部３ａを指で矢印方向に回転させ、（Ｂ）に示すように、ロック部３ｂの先端が裏クリップ２の操作部側内面から離れた状態にしてやれば良い。この状態において、クリップ部の開閉操作部を指で強くつまむことで、挟み込み部を開けることができる。なお、裏クリップ２において、ロック部３ｂの略先端部との当接面に、ストッパー３が回転する際に、ロック部３ｂの略先端部が回転する軌跡に対応した凹部であるストッパー当接部２ｇが設けられているので、図５の（Ａ）から（Ｂ）に至る過程で、ストッパー３をスムースに回転させることができる。
【００４１】
そして、挟み込み部が開いた状態で、例えば、挟み込み部を装着させたい衣類の位置まで動かし、開閉操作部から指を離せば、衣類を挟み込むことができる。この衣類を挟み込んだ状態が図６（Ａ）である。
【００４２】
ストッパー３のレバー部３ａを指で矢印方向に回転させる。この際、衣類が厚手の生地である場合、ロック部３ｂの先端付近が、裏クリップ２のストッパー当接部２ｇに強く当たることがある。厚手の生地を挟んでいることで、挟み込み部が最後まで閉らず、したがって、開閉操作部付近では、表クリップ１と裏クリップ２とが、少し近づいた状態になるためである。
【００４３】
このようにロック部３ｂの先端付近が、裏クリップ２のストッパー当接部２ｇに強く当たる場合には、レバー部３ａを矢印方向に回転するように、少し強く指で押す。そうすると、板ばね４がわずかに伸びることで、表クリップ１と裏クリップ２とが離れて、レバー部３ａを矢印方向にさらに回転させることができる。図５（Ｃ）の状態になるまで回転させることで、ロック状態にできる。
【００４４】
クリップ部の開閉動作の回転軸は、回転軸凸部１ｂと、それが挿入されている回転軸凹部２ｂであるが、回転軸凸部１ｂが単に挿入されているだけであるので、板ばね４が変形すれば、回転軸凸部１ｂと回転軸凹部２ｂとは離れることができるのである。
以上に説明した動作により、名札留めを衣服に着用することができる。なお、名札は、名札留めを衣類に着用させる前に、名札留めに取り付けても良いし、後で取り付けることも可能である。
【００４５】
また、モチーフを名札留めに取り付けることもできる。
図７は、モチーフ５の構成を示す図であり、（Ａ）は側面図、（Ｂ）は表面図、（Ｃ）は裏面図である。モチーフ５は、（Ｂ）に示すように、表面にデザイン５ａが施されている。そして、裏面には（Ｃ）に示すように、挿入部５ｂと角度合せ用突起５ｃが設けられている。
【００４６】
この挿入部５ｂを、図３で示したストッパー３のモチーフ留め穴３ｄに挿入して固定する。モチーフ留め穴３ｄは瓢箪形状であり、挿入部５ｂを大きな下穴に挿入し、上に持ち上げるようにすれば、小さな上穴に固定できる（図８参照）。
【００４７】
また、モチーフ５の裏面に設けられた角度合せ用突起５ｃと、ストッパー３に設けられたモチーフ角度合せ溝３ｅとを合わせることで、デザイン５の向きを正しい向きにすることができる。
【００４８】
本実施の形態において説明した構成は、最適な一つの構成であり、必ずしもこの構成に限定されるものでは無い。
例えば、安全ピン取付け穴は表クリップ１に設けたが、裏クリップ２やストッパー３のレバー部３ａに設けても良い。あるいは、ストッパー３の回転軸３ｃの中央に貫通穴を設け、そこに安全ピンを通す構成としても良い。いずれの場所に安全ピン取付け穴を設けても良いが、当該名札留めの上部と下部に安全ピン取付け穴を設けることで、上述したように、衣類の取付け箇所や名札の大きさ等に応じた使用が可能となる。
【００４９】
また、安全ピン取付け穴に代えて、Ｕ字状の溝を設けても良い。通常の安全ピンの直径程度の幅のＵ字状の溝である。安全ピンの側面をこのＵ字状の溝に押し込んで固定することで、名札を名札留めに取り付けることができる。
あるいは、３個の短いＵ字状の溝を直線状に並べ、両端のＵ字状の溝は上向きに開口があり、中央のＵ字状の溝は下向きに開口し、これらの３個の短いＵ字状の溝を貫くように安全ピンを保持する構造にしても良い。
このように、安全ピンを保持する機構を有すれば良く、その構造の詳細は問わない。
【００５０】
以上に述べてきたように、本考案は、衣類にダメージを与えることなく、且つ極めて外れにくい名札留めに関するものである。安全性や操作性についても、十分な配慮を行っている。
以下、本考案の特長についてまとめる。
【００５１】
第一に、安全ピンを直接衣類に刺すことは無く、衣類に穴を開ける等の損傷を与える心配が無い。
第二に、ロック機構を有しているため、クリップが外れることもない。特に、ロック機構が一体に備わっているので、部品を無くす心配が無く、操作も容易であり、迅速に衣服に名札を脱着できる。
【００５２】
第三に、ロック機構を有しているため、強いクリップ力を必要としない。したがって、衣類にダメージを与えることが無い。また、経年劣化による多少のばねの劣化が生じたとしても、問題なく使用することができるので、製品寿命が長い。
さらに、強いばねを取付ける必要が無いので、組立工程も容易になる。
【００５３】
第四に、厚手の衣類を挟み込んでも、クリップを構成する表クリップと裏クリップとが乖離できる構成であるため、ロック機構を掛ける際に、クリップ部やストッパーに掛かる力を低減し、クリップ部等の破損を防止できる。
すなわち、クリップ部の回転軸は、回転凸部を回転軸凹部に単に挿入する構造であるので、表クリップと裏クリップとは乖離できる。そのため、ストッパーの回転時に、表クリップや裏クリップ、あるいはストッパーに大きな力が掛からず、それらが破損することを防ぐことができる。
【００５４】
第五に、衣服を挟み込む部分に複数のピンとピン受けを設けたので、衣服から外れにくく、また、複数のピンが衣服を挟む力を分散するため、衣服に与えるダメージを最小限にできる。
【００５５】
第六に、安全ピンを通す貫通穴を名札留めの上部と下部に各１か所設けたので、衣類の取付け箇所や名札の大きさ等に応じた使用が可能となる。
【００５６】
第七に、様々なデザインのモチーフを取付けることができるので、アクセサリーとしての使用を楽しむこともできる。モチーフを取り換えることによって、衣服とのコーディネートが可能となり、単なる名札留めを越えた使用方法が可能となる。
【００５７】
実施の形態２．
本実施の形態に係る名札留めについて、図９を用いて説明する。
図９は、実施の形態１に係る名札留めの図１に対応する部品図である。
実施の形態１に係る名札留めと異なる点は、裏クリップ２に突起であるリブ２ｊを、表クリップ１にリブ２ｊが挿入されるリブ挿入穴１ｊを設けた点である。その他の構成に関しては、相違点は無い。
リブ２ｊは、回転軸凸部１ｂよりも高さが高い突起である。また、リブ挿入穴１ｊは、回転軸凹部２ｂよりも深さが深いくぼみである。
【００５８】
リブ２ｊとリブ挿入穴１ｊを設けた理由は、クリップ部で非常に厚手の生地を挟み込んだ場合を考慮したためである。
クリップ部で生地を挟み込んだ際には、図６を用いて説明したように、ロック部３ｂの先端付近が、裏クリップ２のストッパー当接部２ｇに強く当たる場合がある。その際には、レバー部３ａを矢印方向に回転するように、少し強く指で押すと、板ばね４がわずかに伸びることで、表クリップ１と裏クリップ２とが離れて、レバー部３ａを矢印方向にさらに回転させることができる。
【００５９】
ただし、クリップ部で非常に厚手の生地を挟み込んだ場合には、クリップ部の挟み込み部はより大きく開く。したがって、裏クリップ２のストッパー当接部２ｇとストッパー３のロック部３ｂの先端付近とは、より近距離に接近する。
そのため、ロックする際に、レバー部３ａを回転させるために、強く指で押すと、表クリップ１と裏クリップ２とが大きく離れてしまう。もし、回転軸凸部１ｂが回転軸凹部２ｂから完全に抜け出すほど、表クリップ１と裏クリップ２とが大きく離れてしまうと、その後に、回転軸凸部１ｂが回転軸凹部２に嵌らずに、位置がずれてしまう危険性がある。
【００６０】
そこで、より高いリブ２ｊとより深いリブ挿入穴１ｊとを設けておけば、これらがガイドとして働くことで、厚手の生地を挟んだ際にも、その後に、回転軸凸部１ｂが回転軸凹部２に嵌らずに、位置がずれてしまうといった問題は生じない。
本実施の形態における名札留めは以上のように構成されているので、非常に厚手の生地を挟む場合でも、クリップ部を構成する表クリップ１と裏クリップ２とが位置ずれを生じることなく、良好に使用することができる。
なお、リブ２ｊとリブ挿入穴１ｊとは、それぞれを表クリップ１と裏クリップ２の、ど
ちらに設けても良い。すなわち、裏クリップと表クリップのいずれか一方に設けられた凸部よりも高いリブと、他方に設けられた凹部よりも深いリブ挿入穴の、いずれか一方を表クリップに、他方を裏クリップに設けた構成とすれば良い。
【００６１】
実施の形態３．
本実施の形態に係る名札留めについて、図１０を用いて説明する。
実施の形態１に係る名札留めと異なる点は、クリップ部の構成である。
まず、板ばね４の代わりにコイルばね４ａを用いる。
そのコイルばね４ａを設けるスペースを確保するため、表クリップ１にコイル用凹部１ｍを、裏クリップ２にコイル用凹部２ｍを設けてある。
また、ばね嵌合部１ｅ、２ｅやばね外れ防止部１ｆ、２ｆの代わりに、コイルばね端部を挿入できる溝であるコイルばね端部挿入部１ｎと２ｎを、表クリップ１と裏クリップ２にそれぞれ設けている。
【００６２】
コイルばね端部挿入部１ｎと２ｎを設けた位置は、表クリップ１と裏クリップ２の側面であり、クリップ部の開閉のための回転軸よりも挟み込み部側である。
コイルばね４ａの一端は、図１０に示すように、裏クリップ２の上部を通って、コイルばね端部挿入部２ｎに挿入されている。コイルばね４ａの他端は、表クリップ１の下部（図１０における紙面裏側）を通って、コイルばね端部挿入部１ｎに挿入されている。コイルばね４ａの両端は、コイルばね端部挿入部１ｎと２ｎにおいて固定されている。特に固定方法は問わない。あるいは、固定せずに、コイルばね４ａの両端部を折り曲げて、それぞれをコイルばね端部挿入部１ｎと２ｎに引っ掛けるようにしても良い。
【００６３】
このように板ばね４に代えて、コイルばね４ａを用いた構成であっても、実施の形態１と同様の効果を生じる。すなわち、厚手の衣類を挟み込んでも、クリップを構成する表クリップと裏クリップとが乖離できる構成であるため、ロック機構を掛ける際に、クリップ部やストッパーに掛かる力を低減し、クリップ部等の破損を防止できる。もちろん、実施の形態１で述べたその他の効果も同様に有する構成である。
なお、実施の形態１で述べた板ばね４を用いた構成は、板ばねを設けるスペースを特に必要としないため、名札留めの小型化という観点においては有利である。
【００６４】
実施の形態１および実施の形態３で示したように、クリップの構成としては、板ばねやコイルばねといった裏クリップと表クリップとを結合する弾性体を有し、その弾性体が、クリップ部の回転軸よりも挟み込み部側において、裏クリップと表クリップが当接する圧力を及ぼす構成であれば良い。
【符号の説明】
【００６５】
１    表クリップ
１ａ    ばね挿入開口
１ｂ    回転軸凸部
１ｃ    ピン
１ｄ    ピン受け
１ｅ    ばね嵌合部
１ｆ    ばね外れ防止部
１ｇ    ストッパー回転軸穴
１ｈ、１ｉ    安全ピン取付け穴
１ｊ    リブ挿入穴
２    裏クリップ
２ａ    ばね挿入開口
２ｂ    回転軸凹部
２ｃ    ピン
２ｄ    ピン受け
２ｅ    ばね嵌合部
２ｆ    ばね外れ防止部
２ｇ    ストッパー当接部
２ｊ    リブ
３    ストッパー
３ａ    レバー部
３ｂ    ロック部
３ｃ    回転軸３ｃ
３ｄ    モチーフ留め穴
３ｅ    モチーフ角度合せ溝
４    板ばね
【図１】
0003192614.tif 000003
【図２】
0003192614.tif 000004
【図３】
0003192614.tif 000005
【図４】
0003192614.tif 000006
【図５】
0003192614.tif 000007
【図６】
0003192614.tif 000008
【図７】
0003192614.tif 000009
【図８】
0003192614.tif 000010
【図９】
0003192614.tif 000011
【図１０】
0003192614.tif 000012